(57)【要約】【課題】  車両の衝突時にバンパリインフォースメントの延伸部を確実に車両外側へ変形させる。【解決手段】  車両前部構造１０では、車両の前面衝突時に、クラッシュボックス１４が車両後側へ圧縮変形されると共に、フロントバンパリインフォースメント１６が車両後側へ変位される。ここで、フロントバンパリインフォースメント１６の車両後側への変位により、ブラケット２６の上側面３２及び下側面３４がフロントバンパリインフォースメント１６の上板２０及び下板２２を車両前側へ変形させる。これにより、車両の前面衝突時におけるクラッシュボックス１４の変形状況に拘らず、フロントバンパリインフォースメント１６の上板２０及び下板２２を確実に車両前側へ変形させることができる。【選択図】    図１
2006160218.tif 000002
【特許請求の範囲】
【請求項１】
車両の前部又は後部に設けられ、車両の衝突時に車両内側へ変形されるサイドメンバと、
前記サイドメンバの車両外側端に設けられると共に、前記サイドメンバの車両外側端よりも車両内側へ延伸された延伸部が設けられ、車両の衝突時に前記サイドメンバの車両内側への変形と共に車両内側へ変位されるバンパリインフォースメントと、
前記バンパリインフォースメントの車両内側に設けられ、車両の衝突時に前記バンパリインフォースメントの車両内側への変位により前記延伸部を車両外側へ変形させる変形部材と、
を備えた車両端部構造。
【請求項２】
前記変形部材は、車両内側へ向かうに従い前記バンパリインフォースメントの外側へ向かう方向へ傾斜され、車両の衝突時に前記延伸部を車両外側へ変形させる傾斜面を有する、ことを特徴とする請求項１記載の車両端部構造。
【発明の詳細な説明】
【技術分野】
【０００１】
本発明は、サイドメンバの車両外側端にバンパリインフォースメントが設けられた車両端部構造に関する。
【背景技術】
【０００２】
車両端部構造としては、平板状部材（バンパリインフォースメント）に接合された一対のチャンネル状ブラケットの両側面がそれぞれ一対のフレーム（サイドメンバ）の両側面に嵌着接合されて、平板状部材が一対のフレームに取り付けられたものがある（例えば、特許文献１参照）。
【０００３】
この車両端部構造では、車両の前面衝突時に、フレームの両側面が拡開変形されることで、チャンネル状ブラケットの両側面が車両前側へ拡開変形される。
【０００４】
しかしながら、この車両端部構造では、仮に車両の前面衝突時にフレームの両側面が拡開変形されない構成であると、チャンネル状ブラケットの両側面が車両前側へ拡開変形されず、これにより、チャンネル状ブラケットの側面が一対のフレーム間に設けられたラジエータに干渉してラジエータが損傷する可能性がある。
【特許文献１】特開２００２−２９３２６４公報
【発明の開示】
【発明が解決しようとする課題】
【０００５】
本発明は、上記事実を考慮し、車両の衝突時にバンパリインフォースメントの延伸部を確実に車両外側へ変形させることができる車両端部構造を得ることが目的である。
【課題を解決するための手段】
【０００６】
請求項１に記載の車両端部構造は、車両の前部又は後部に設けられ、車両の衝突時に車両内側へ変形されるサイドメンバと、前記サイドメンバの車両外側端に設けられると共に、前記サイドメンバの車両外側端よりも車両内側へ延伸された延伸部が設けられ、車両の衝突時に前記サイドメンバの車両内側への変形と共に車両内側へ変位されるバンパリインフォースメントと、前記バンパリインフォースメントの車両内側に設けられ、車両の衝突時に前記バンパリインフォースメントの車両内側への変位により前記延伸部を車両外側へ変形させる変形部材と、を備えている。
【０００７】
請求項２に記載の車両端部構造は、請求項１に記載の車両端部構造において、前記変形部材は、車両内側へ向かうに従い前記バンパリインフォースメントの外側へ向かう方向へ傾斜され、車両の衝突時に前記延伸部を車両外側へ変形させる傾斜面を有する、ことを特徴としている。
【発明の効果】
【０００８】
請求項１に記載の車両端部構造では、車両の前部又は後部に設けられたサイドメンバの車両外側端にバンパリインフォースメントが設けられており、バンパリインフォースメントに設けられた延伸部がサイドメンバの車両外側端よりも車両内側へ延伸されている。
【０００９】
車両の衝突時には、サイドメンバが車両内側へ変形されると共に、バンパリインフォースメントが車両内側へ変位される。
【００１０】
ここで、バンパリインフォースメントの車両内側に変形部材が設けられており、車両の衝突時には、バンパリインフォースメントの車両内側への変位により変形部材がバンパリインフォースメントの延伸部を車両外側へ変形させる。これにより、延伸部を確実に車両外側へ変形させることができる。
【００１１】
請求項２に記載の車両端部構造では、変形部材の傾斜面が車両内側へ向かうに従いバンパリインフォースメントの外側へ向かう方向へ傾斜されており、車両の衝突時には傾斜面が延伸部を車両外側へ変形させる。これにより、延伸部を一層確実に車両外側へ変形させることができる。
【発明を実施するための最良の形態】
【００１２】
図１には、本発明の車両端部構造が適用されて構成された実施の形態に係る車両前部構造１０が車両左斜め前方から見た斜視図にて示されており、図２には、車両前部構造１０が車両左側から見た断面図（図１の２−２線断面図）にて示されている。なお、図面では、車両前方を矢印ＦＲで示し、車両右方を矢印ＲＷで示し、上方を矢印ＵＰで示す。
【００１３】
本実施の形態に係る車両前部構造１０は、サイドメンバとしての矩形筒状のフロントサイドメンバ１２を一対備えており、一対のフロントサイドメンバ１２は車両の前部の右部及び左部に車両前後方向に沿って配置されている。各フロントサイドメンバ１２の車両前側部には、クラッシュボックス１４が設けられており、各クラッシュボックス１４は各フロントサイドメンバ１２の他の部分よりも軸方向への圧縮強度が低くされている。
【００１４】
一対のフロントサイドメンバ１２の車両前側端間（一対のクラッシュボックス１４の車両前側端間）には、バンパリインフォースメントとしての板状のフロントバンパリインフォースメント１６が架け渡されており、フロントバンパリインフォースメント１６は車幅方向に配置されている。フロントバンパリインフォースメント１６は、湾曲板状の前板１８を有しており、フロントバンパリインフォースメント１６は前板１８において各フロントサイドメンバ１２の車両前側端に固定されている。フロントバンパリインフォースメント１６は、延伸部としての断面Ｌ字形板状の上板２０及び下板２２を有しており、上板２０及び下板２２は前板１８から車両後側へ延伸されている。さらに、上板２０の先端側部は上側へ突出される一方、下板２２の先端側部は下側へ突出されている。
【００１５】
各フロントサイドメンバ１２には、各クラッシュボックス１４の車両後側端において、支持部材としての平板状の支持板２４が固定されており、各支持板２４は各フロントサイドメンバ１２から上側、下側及び車幅方向内側へ突出している。
【００１６】
各支持板２４には、変形部材としての台形板状のブラケット２６が固定されており、各ブラケット２６は各フロントサイドメンバ１２の車幅方向内側かつフロントバンパリインフォースメント１６の車両後方に配置されている。ブラケット２６の車両前側面２８の上下方向長さはフロントバンパリインフォースメント１６の上板２０と下板２２との間隙の上下方向長さに対して同一又は短くされる一方、ブラケット２６の車両後側面３０の上下方向長さはフロントバンパリインフォースメント１６の上板２０と下板２２との間隙の上下方向長さに対して長くされている。さらに、ブラケット２６の上側面３２及び下側面３４は平面状の傾斜面とされており、ブラケット２６の上側面３２は車両後側に向かうに従い上側へ向かう方向へ傾斜されると共に、ブラケット２６の下側面３４は車両後側に向かうに従い下側へ向かう方向へ傾斜されている。
【００１７】
また、車両には、一対の支持板２４間において、保護対象としての冷却系３６（ラジエータ）が固定されている。
【００１８】
次に、本実施の形態の作用を説明する。
【００１９】
以上の構成の車両前部構造１０では、図３に示す如く、車両の前面衝突時に、フロントサイドメンバ１２のクラッシュボックス１４が車両後側へ圧縮変形されると共に、フロントバンパリインフォースメント１６が車両後側へ変位（変形）されることで、衝突荷重が吸収される。
【００２０】
ここで、上記フロントバンパリインフォースメント１６の車両後側への変位により、ブラケット２６の上側面３２がフロントバンパリインフォースメント１６の上板２０を上側かつ車両前側へ変形（変位）させると共に、ブラケット２６の下側面３４がフロントバンパリインフォースメント１６の下板２２を下側かつ車両前側へ変形（変位）させる。これにより、車両の前面衝突時におけるフロントサイドメンバ１２（クラッシュボックス１４）の変形状況に拘らず（車両の前面衝突時にクラッシュボックス１４の上面及び下面がそれぞれ上側及び下側へ変形されなくても）、フロントバンパリインフォースメント１６の上板２０及び下板２２を確実に車両前側へ変形させることができる。このため、フロントバンパリインフォースメント１６の上板２０及び下板２２による冷却系３６の損傷を防止することができ、車両のダメージャビリティを向上させることができる。
【００２１】
さらに、ブラケット２６の上側面３２が車両後側に向かうに従い上側へ向かう方向へ傾斜されると共に、ブラケット２６の下側面３４が車両後側に向かうに従い下側へ向かう方向へ傾斜されている。これにより、フロントバンパリインフォースメント１６の上板２０及び下板２２を一層確実に車両前側へ変形させることができる。
【００２２】
なお、本実施の形態では、本発明を車両前部構造１０に適用した構成としたが、本発明を車両後部構造に適用した構成としてもよい。
【図面の簡単な説明】
【００２３】
【図１】本発明の実施の形態に係る車両前部構造を示す車両左斜め前方から見た斜視図である。
【図２】本発明の実施の形態に係る車両前部構造を示す車両左側から見た断面図（図１の２−２線断面図）である。
【図３】本発明の実施の形態に係る車両前部構造の車両前面衝突時における状況を示す車両左側から見た断面図である。
【符号の説明】
【００２４】
１０    車両前部構造（車両端部構造）
１２    フロントサイドメンバ（サイドメンバ）
１６    フロントバンパリインフォースメント（バンパリインフォースメント）
２０    上板（延伸部）
２２    下板（延伸部）
２６    ブラケット（変形部材）
３２    上側面（傾斜面）
３４    下側面（傾斜面）
【図１】
2006160218.tif 000003
【図２】
2006160218.tif 000004
【図３】
2006160218.tif 000005